(57)【特許請求の範囲】
【請求項１】
データを記憶するＣＰＵと、ＰＣカード装着部と、２つの圧力センサのケーブルを接続するコネクタ部と、電池ケーブルを接続するコネクタ部とを備えた集録装置と、別に乾電池及び電流制限抵抗を内蔵するとともにコネクタ付ケーブルを接続した電池ボックスと、コネクタ付ケーブルを接続した２つの圧力センサと、ＰＣカードとからなり、
上記両圧力センサのうちの一方をガバナの一次側流体導管に接続してその流体圧を検出し、他方をガバナの二次側流体導管に接続してその流体圧を検出するようにし、その両圧力センサのコネクタ付ケーブルを集録装置のコネクタ部に分離可能に接続し、電池ボックスのコネクタ付ケーブルを集録装置のコネクタ部に分離可能に接続し、ＰＣカード装着部にＰＣカードを装着し、
上記乾電池によって集録装置と両センサを駆動すると共に、ＣＰＵのプログラムにより、両圧力センサを０．５秒毎の駆動周期で時分割駆動して、両圧力センサでの測定値をＣＰＵ２７のメモリに記憶し、
また、記録周期の３分間毎の高圧側の最高圧力値及び最低圧力値と、低圧側の最高圧力値及び最低圧力値を記憶し、更に、これらの最高圧力値及び最低圧力値の発生日時を記憶し、
上記記録周期の３分間毎のデータを４回分とったところで、記憶したデータを集録装置内に装着されたＰＣカードへ書き込み記録し、
その記録したＰＣカードを回収して該ＰＣカードを用いてパソコンでデータ処理を行うことを特徴とするデジタル式自記圧力計。
【請求項２】
集録装置に、その集録したデータのうちの必要なデータを表示する液晶表示部と、この液晶表示部を表示操作する表示スイッチを設けたことを特徴とする請求項１記載のデジタル式自記圧力計。
【発明の詳細な説明】
【０００１】
【発明の属する技術分野】
本発明はデジタル式自記圧力計に関する。
【０００２】
【従来の技術】
各家庭などに供給されるガスの導管の途中にはガバナが設置され、このガバナにより各家庭などへのガス供給圧が一定圧に保持されている。そして、このガバナの入側（一次側）と出側（二次側）のガス圧力を記録し、管理することが義務付けられている。
【０００３】
このようなガバナの圧力管理は従来、７日間のガスの圧力を記録できるチャート紙式の機械式自記圧力計を設置し、ガバナの入側圧力と出側圧力を円板状のチャート記録紙に自動的に記録して、１週間に１回以上の周期で巡視点検者が巡回してチャート記録紙の回収及び点検を行っている。
【０００４】
【発明が解決しようとする課題】
ところで、近時、上記のガバナの巡視点検頻度が「１週間に１回以上」から「１カ月に１回以上」へ緩和された。
【０００５】
しかし、上記従来のチャート記録紙に供給圧力を自動的に記録する自記圧力計においては、その記録紙の大きさが限られており、すなわち、その記録容量がさほど多くないことから、従来の「１週間分」のチャート記録紙で「１か月」の記録を行うとその分解能が低下し保安レベルに影響する。そのため、上記の巡視点検頻度の緩和への対応が困難である。
【０００６】
更に、ガス圧力を機械的な機構によってチャート記録紙に記録するため、その記録紙の交換が非常に厄介である。
更に、圧力データを記録した記録紙を保存することは保存スペースの確保や管理が多大となり、また、そのデータの検証、検索なども容易ではなく、データ管理業務の効率化、省力化が困難な問題もある。
【０００７】
そこで本発明は上記の各問題を解決するデジタル式自記圧力計を提供することを目的とするものである。
【０００８】
【課題を解決するための手段】
上記の課題を解決するために、請求項１記載の第１の発明は、データを記憶するＣＰＵと、ＰＣカード装着部と、２つの圧力センサのケーブルを接続するコネクタ部と、電池ケーブルを接続するコネクタ部とを備えた集録装置と、別に乾電池及び電流制限抵抗を内蔵するとともにコネクタ付ケーブルを接続した電池ボックスと、コネクタ付ケーブルを接続した２つの圧力センサと、ＰＣカードとからなり、
上記両圧力センサのうちの一方をガバナの一次側流体導管に接続してその流体圧を検出し、他方をガバナの二次側流体導管に接続してその流体圧を検出するようにし、その両圧力センサのコネクタ付ケーブルを集録装置のコネクタ部に分離可能に接続し、電池ボックスのコネクタ付ケーブルを集録装置のコネクタ部に分離可能に接続し、ＰＣカード装着部にＰＣカードを装着し、
上記乾電池によって集録装置と両センサを駆動すると共に、ＣＰＵのプログラムにより、両圧力センサを０．５秒毎の駆動周期で時分割駆動して、両圧力センサでの測定値をＣＰＵ２７のメモリに記憶し、
また、記録周期の３分間毎の高圧側の最高圧力値及び最低圧力値と、低圧側の最高圧力値及び最低圧力値を記憶し、更に、これらの最高圧力値及び最低圧力値の発生日時を記憶し、
上記記録周期の３分間毎のデータを４回分とったところで、記憶したデータを集録装置内に装着されたＰＣカードへ書き込み記録し、
その記録したＰＣカードを回収して該ＰＣカードを用いてパソコンでデータ処理を行うことを特徴とするデジタル式自記圧力計である。
【００１１】
本発明においては、ＰＣカードを記録媒体としたので、従来の記録紙に比べてデータの容量が大きくなる。そのため、データの質（分解能）が従来の記録紙のものより高く、かつ記録紙よりも長期間のデータを記録できる。このことは、巡視点検頻度を緩和できる。
また、ＰＣカードを用いたことにより、該ＰＣカードを回収してパソコンでデータの検証、検索などのデータ処理が可能になる。
更に、両圧力センサからの信号をコネクタ付ケーブルを通じて集録装置へ電気的に送信する。そのため、集録装置へ直接流体導管を導入する配管工事が不要になる。
【００１２】
更に、集録装置等は乾電池で駆動されるため、商用電源が不要になる。
更に、電源ボックスに付設したケーブルを集録装置に分離可能に接続したので、本発明をガス圧検出に用いた場合に、電源ボックスの電池を非危険場所で交換することが可能になる。
【００１３】
更に、集録装置側で何らかの事故が起きた場合にも、電流制限抵抗によって電流が制限されているので、例えば、流体がガスであっても着火エネルギーが抑えられて安全である。
【００１５】
更に、両圧力センサを一定時間毎に駆動し、また、ＰＣカードへの記録事項を所要事項に限定したので、これらの動作時間が短くなる。したがって、電源として乾電池を使用しても長期に作動する。
【００１６】
そして請求項２記載の第２の発明は、上記第１の発明において、集録装置に、その集録したデータのうちの必要なデータを表示する液晶表示部と、この液晶表示部を表示操作する表示スイッチを設けたことを特徴とするものである。
【００１７】
本発明においては、集録したデータのうちの必要なデータを巡視点検者が集録装置の液晶表示部に表示させて、現地で確認することができる。
【００１８】
【発明の実施の形態】
図に示す実施例に基づいて本発明の実施の形態について説明する。
実施例は、本発明を、ガバナの高圧側（一次側）ガス導管と低圧側（二次側）ガス導管のガス圧力を検出する場合の例を示す。
【００１９】
図１は本発明のデジタル式自記圧力計をガス導管に接続した状態を示す。
図１において、高圧側である一次側のガス導管１と低圧側である二次側のガス導管２はガバナ３を介して接続され、該ガバナ３によって二次側のガス導管２内の供給圧力が一定に保持されるようになっている。
【００２０】
一次側のガス導管１には圧力取出管４が接続され、その先端にコネクタ５が設けられている。また、二次側のガス導管２には圧力取出管６が接続され、その先端にコネクタ７が設けられている。
【００２１】
上記一次側のコネクタ５には、入側圧力センサである一次側圧力センサ８に設けたコネクタ９が接続され、二次側のコネクタ７には、出側圧力センサである二次側圧力センサ１０に設けたコネクタ１１が接続されるようになっている。
【００２２】
上記両圧力センサ８，１０は、夫々に接続したガス導管１，２内のガス圧力を感知し、その圧力変化により変化する電圧をケーブル１２，１３を通じて電気信号として集録装置１４側へ送信するようになっている。また、一次側のケーブル１２の他端部には一次側コネクタ１５が付設され、これを集録装置１４に設けた一次側コネクタ部１６に分離可能に接続するようになっている。更に、二次側のケーブル１３の他端部には二次側コネクタ１７が付設され、これを集録装置１４に設けた二次側コネクタ部１８に分離可能に接続するようになっている。
【００２３】
上記集録装置１４には電池ボックス１９が分離可能に付設されているとともに該電池ボックス１９にはケーブル２０が接続されており、該ケーブル２０の他端に付設したコネクタ２１を集録装置１４に設けたコネクタ部２２に分離可能に接続するようになっている。
【００２４】
集録装置１４のケース１４ａには、記録媒体であるＰＣカード２３の装着部を構成する挿入穴２４が、その下端を開口して形成されており、開閉蓋２５を図５の鎖線に示すように開いてＰＣカード２３をケース１４ａの下面より挿入穴２４内へ着脱可能に装着できるようになっている。
【００２５】
次に上記集録装置１４と電池ボックス１９について図２により説明する。
集録装置１４は、上記両圧力センサ８，１０に発生する電圧を両コネクタ部１６，１８を通じて入力し、Ａ／Ｄ変換器２６でＡ／Ｄ変換してＣＰＵ２７のメモリに記憶する回路と、上記ＣＰＵ２７に記憶されたデータのうちの必要なデータを画面表示する液晶表示器２８と、該液晶表示器２８を表示操作する表示スイッチ２９と、ＣＰＵ２７で記憶されたデータを装着されたＰＣカード２３に記録するためのＰＣカードインターフェース３０と、通信用のインターフェース３１と、通信用コネクタ部３１ａを有する。
【００２６】
なお、上記の液晶表示器２８の画面は図３に示すように構成されており、上記表示スイッチ２９をオン操作するとことにより、一次側圧力と二次側圧力の記録期間内の最高圧力、最低圧力と、それぞれの発生日時及び現在圧力と現在時刻を表示することができるようになっている。なお、該表示スイッチ２９は表示切替スイッチになっており、その切替えにより上記各データが切替的に表示されるようになっている。
【００２７】
電池ボックス１９内には、乾電池３２と、これと直列に接続した電流制限抵抗３３が内蔵され、その乾電池３２により、上記ケーブル２０を通じて集録装置１４部及び両圧力センサ８，１０を駆動するようになっており、その電流制限抵抗３３によって、集録装置１４側で何らかの事故（ショート等）が起きても電流が制限されてガスへの着火エネルギーが抑えられるようになっている。更に電池ボックス１９と集録装置１４は分離可能で、かつそのケーブル２０をコネクタ２１，２２により集録装置１４より分離可能にしたので、この電池ボックス１９をガス導管部から離れた非危険場所に持ち出して電池交換を行うことができる。
【００２８】
なお、集録装置１４のケース１４ａには取付片３５が設けられ、該取付片３５によって集録装置１４と電池ボックス１９を家屋の壁面等に取り付けるようになっている。
【００２９】
上記構成において、集録装置１４中のＣＰＵ２７のプログラムにより、両圧力センサ８，１０を時分割駆動する。この駆動周期（測定周期）としては例えば０．５秒毎とする。そしてその駆動時間を約７ｍｓとする。
【００３０】
上記両圧力センサ８，１０の駆動により、高圧側である一次側のガス導管１内のガス圧力と低圧側である二次側のガス導管２内のガス圧力が検出され、上記の期間における両圧力センサ８，１０に発生する電圧をＡ／Ｄ変換器２６でＡ／Ｄ変換し、ＣＰＵ２７のメモリに記憶する。また、記録周期を３分とし、この３分間毎の高圧側の最高圧力値及び最低圧力値と、低圧側の最高圧力値及び最低圧力値を記憶し、更に、これらの最高圧力値及び最低圧力値の発生日時を記憶する。
【００３１】
また、上記の記憶したデータを集録装置１４内に装着されたＰＣカード２３へ書き込み記録する。この記録は１２分毎に行う。すなわち、３分間毎のデータを４回分とったところでＰＣカード２３に書き込むことにする。このような書き込みにより、例えば４ＭＢのＰＣカードを用いた場合には、記録可能なデータ量は約６か月間分となる。
【００３２】
そして、所定期間毎に巡視点検者が上記データを記録したＰＣカード２３を集録装置１４から抜き取り回収し、そのＰＣカード２３に記録されたデータをパソコンに読み込ませ、パソコン側でファイルを作成してそのデータを変更、処理する。すなわち、この読み込ませたデータから、グラフ表示画面で圧力の異常の有無を確認したり、データをハードディスクや外付けのＭＯなどに一括登録したり、過去に登録したデータを読み出したりするなどのデータ処理やデータ管理を行う。
【００３３】
このように、パソコンでデータ処理をすることにより、データの検証、検索等がスピーディーにできるとともに１時間、１日、１週間等の所望期間のデータの詳細が見やすく、異常データへの対応も早くできる。また、仮に集録装置側でファイルを作成すると、集録装置側でＦＡＴ、ファイル情報などの操作が必要になり、時間がかかるが、上記のようにパソコン側でデータ処理を行う形式をとることにより、集録装置側での動作時間が１／３になるとともに消費電流も低減され、圧力センサへの時分割駆動と合わせて、乾電池での作動が可能になる。
【００３４】
また、液晶表示部２８は、通常は消えているが、巡視点検者が現地において、集録装置１４の表示スイッチ２９を切替操作することにより点灯し、記録期間内の最高圧力、最低圧力とそれぞれの発生日時及び現在圧力と現在時刻を確認することができる。
【００３５】
また、両圧力センサ８，１０の駆動とＰＣカード２３への記録動作を上記のような値に間欠駆動することにより、消費電流が極めて少なくなり、例えば単二乾電池４本で６か月以上駆動できる。
【００３６】
なお、本発明は、上記実施例のようなガス導管のガス圧検出に限らず、その他の流体導管内の流体圧力の検出にも適用できるものである。
【００３７】
【発明の効果】
以上のようであるから、請求項１記載の発明によれば、ＰＣカードを使用したことにより、従来の記録紙に比べてデータの質を低下させることなく長期間のデータを記録でき、巡視点検頻度を緩和できる。このことは、前記ガバナの巡視点検頻度が緩和されたことに対して容易に対応できる。更にその記録は電子方式であるため測定精度を高めて保安レベルの向上を期待できる。
【００３８】
更に、ＰＣカードを回収してパソコンでデータを処理することにより、データの分析、検証、検索などの処理がスピーディに行える上に、データをパソコンに記録して保存でき、その保存スペースの大幅な省略が可能になる。したがって、データ管理業務の効率化、省力化に寄与できる。
【００３９】
更に、データをパソコン側で処理できるので、集録装置側でのファイル作成等の操作が不要になり、集録装置側での動作時間の短縮と消費電流の低減を図り、集録装置を乾電池で作動させることができる。
【００４０】
更に集録装置への直接の配管工事が不要になり、設置費用が安価になる。更に、乾電池を電源としているので、商用電源を使用するものに比べて工事が安価になり、メンテナンスも簡単になる。更に、電池ボックスを集録装置部から分離して安全な場所で電池交換ができる。更に、電流制限抵抗を設けたことにより、ガス圧検出の場合にも安全である。
【００４１】
更に、乾電池を電源として用いても長期に動作させることができる。
請求項２記載の発明によれば、更に、巡視点検者が現地で必要なデータを確認することもできる。
【図面の簡単な説明】
【図１】本発明の実施例を示すもので、デジタル式自記圧力計の設置状態を示す図。
【図２】本発明の集録装置部と電池ボックス部の配線状態を示すブロック図。
【図３】本発明のデジタル式自記圧力計の実施例を示す正面図。
【図４】図３の底面図。
【図５】図３の右側面図。
【符号の説明】
１…一次側流体導管                  ２…二次側流体導管
３…ガバナ                          ８，１０…圧力センサ
１２，１３…コネクタ付ケーブル      １４…集録装置
１６，１７，２２…コネクタ部        １９…電池ボックス
２０…コネクタ付ケーブル            ２３…ＰＣカード
２４…ＰＣカード装着部              ２７…ＣＰＵ
２８…液晶表示部
【図１】
0004037492.tif 000002
【図２】
0004037492.tif 000003
【図３】
0004037492.tif 000004
【図４】
0004037492.tif 000005
【図５】
0004037492.tif 000006